(57)【要約】【課題】放射効率の向上した人体着用型通信装置を提供する。【解決手段】本発明による通信装置は、人体に着用可能な通信装置において、ＲＦ（Ｒａｄｉｏ  Ｆｒｅｑｕｅｎｃｙ）信号を送受信するアンテナパターンと、前記通信装置を制御するメインボードと、前記メインボードに電源を供給する電源供給部とを有し、前記アンテナパターンは、前記メインボード及び前記電源供給部の上部に積層された形態で具現され、前記アンテナパターンは、前記通信装置の最上部に積層され、前記通信装置が人体に着用された場合前記アンテナパターンは人体から最も遠く位置する。【選択図】      図１
2018046567.tif 000002
【特許請求の範囲】
【請求項１】
人体に着用可能な通信装置において、
ＲＦ（Ｒａｄｉｏ  Ｆｒｅｑｕｅｎｃｙ）信号を送受信するアンテナパターンと、
前記通信装置を制御するメインボードと、
前記メインボードに電源を供給する電源供給部とを有し、
前記アンテナパターンは、前記メインボード及び前記電源供給部の上部に積層された形態で具現され、
前記アンテナパターンは、前記通信装置の最上部に積層され、前記通信装置が人体に着用された場合前記アンテナパターンは人体から最も遠く位置することを特徴とする通信装置。
【請求項２】
前記メインボードは、前記通信装置のＲＦ通信を制御するＲＦ制御部を備え、
前記アンテナパターンは、前記メインボードのＲＦ制御部が存在しない領域の上部に積層された形態で具現されることを特徴とする請求項１に記載の通信装置。
【請求項３】
前記アンテナパターン下部の空間は、ＰＤＭＳ（ＰｏｌｙＤｉｍｅｔｈｙｌＳｉｌｏｘａｎｅ）の損失タンジェントよりさらに低い損失タンジェントを有する物質で満たされることを特徴とする請求項１に記載の通信装置。
【請求項４】
前記アンテナパターン下部の空間は、空気、カプトン（登録商標）ポリイミド（Ｋａｐｔｏｎ（登録商標）  Ｐｏｌｙｉｍｉｄｅ）、Ｒｏｇｅｒｓ  ＲＴ５８８０、Ｒｏｇｅｒｓ  ＲＴ６０１０、及びＦＲ−４の内のいずれか一つで満たされることを特徴とする請求項１に記載の通信装置。
【請求項５】
前記アンテナパターン下部の空間は、前記アンテナパターンから放射される信号の共振周波数に対する放射効率を向上させることのできる損失タンジェントを有する物質で満たされることを特徴とする請求項１に記載の通信装置。
【請求項６】
前記アンテナパターンと、前記メインボードに含まれたＲＦ制御部とを接続する少なくとも一つ以上の接続手段をさらに備え、
前記少なくとも一つ以上の接続手段は、前記アンテナパターンと前記メインボードとの間の空間を貫通するように具現されることを特徴とする請求項１に記載の通信装置。
【請求項７】
前記アンテナパターンと接続される接地面をさらに備え、
前記接地面は、メインボードに含まれるか、または前記電源供給部の上部カバーとして形成されることを特徴とする請求項１に記載の通信装置。
【請求項８】
前記アンテナパターンと前記接地面とを接続する少なくとも一つ以上の短絡ピン（ｓｈｏｒｔｉｎｇ  ｐｉｎ）をさらに備えることを特徴とする請求項７に記載の通信装置。
【請求項９】
前記アンテナパターンが含まれたアンテナ層及び前記メインボードに設けられた少なくとも一つ以上のインターコネクトビアホール（ｉｎｔｅｒｃｏｎｎｅｃｔ  ｖｉａ  ｈｏｌｅ）をさらに備え、
前記アンテナ層及び前記メインボードは、前記アンテナ層に設けられたインターコネクトビアホールと前記メインボードに設けられたインターコネクトビアホールとを通じて接続されることを特徴とする請求項１に記載の通信装置。
【請求項１０】
前記アンテナパターンが含まれたアンテナ層の下部と前記メインボードの上部との間に存在する中間接続層をさらに備えることを特徴とする請求項１に記載の通信装置。
【請求項１１】
前記アンテナパターンは、単方向放射パターン構造を有することを特徴とする請求項１に記載の通信装置。
【請求項１２】
前記通信装置の厚さは、１．５ｍｍ以下であることを特徴とする請求項１に記載の通信装置。
【請求項１３】
前記メインボードは、可撓性プリント回路基板（ＦＰＣＢ：Ｆｌｅｘｉｂｌｅ  Ｐｒｉｎｔｅｄ  Ｃｉｒｃｕｉｔ  Ｂｏａｒｄ）に挿入又は組み込まれたＲＦ制御部、電源制御部、及びロジック制御部の内の少なくともいずれか一つを含み、
前記メインボードは、能動的な組込み（ａｃｔｉｖｅ  ｅｍｂｅｄ）技術によって具現され、
前記可撓性プリント回路基板は、前記ＲＦ制御部、電源制御部、及びロジック制御部の内の少なくともいずれか一つが組み込まれたエンベデッド可撓性プリント回路基板であることを特徴とする請求項１に記載の通信装置。
【請求項１４】
前記アンテナパターンは、ＰＩＦＡ（Ｐｌａｎａｒ  Ｉｎｖｅｒｔｅｄ  Ｆ  Ａｎｔｅｎｎａ）形態又はＳＰＡ（Ｓｌｏｔｔｅｄ  Ｐａｔｃｈ  Ａｎｔｅｎｎａ）形態のいずれか一つで形成され、
前記アンテナパターンがＳＰＡ形態で形成される場合、前記アンテナパターンは、前記アンテナパターンの外郭ループの厚さを調整するか、又はメインパッチに設けられるスロットの数及びメインパッチに設けられた少なくとも一つ以上のスロットの長さを調整するか、又は前記メインボードからＲＦ信号を取得する前記外郭ループとメインパッチの間の空間の大きさを調整して、
前記アンテナパターンから放射されるＲＦ信号の波長又は共振周波数の少なくともいずれか一つを調節することを特徴とする請求項１に記載の通信装置。
【発明の詳細な説明】
【技術分野】
【０００１】
本発明は、人体に着用可能な通信装置に関し、特に放射効率の向上した人体着用型の通信装置に関する。
【背景技術】
【０００２】
高齢人口の増加により、患者の医療情報を収集するために、人体の内部に移植するか、または外部に付着／着用する技術に関する研究が活発に行われている。
人体の内部に移植されるか、または外部に付着／着用される通信装置は、人体の生体信号を測定して無線でデータを送信し、外部から無線でデータを受信することができる。
当該技術と関連した先行文献としては、特許文献１がある。
【０００３】
人体の外部に付着／着用される通信装置については、さらなる放射効率の向上等の技術的課題がある。
【先行技術文献】
【特許文献】
【０００４】
【特許文献１】特開２０１０−０２１７５６号公報
【発明の概要】
【発明が解決しようとする課題】
【０００５】
本発明は上記従来の通信装置における問題点に鑑みてなされたものであって、本発明の目的は、放射効率の向上した人体着用型通信装置を提供することにある。
【課題を解決するための手段】
【０００６】
上記目的を達成するためになされた本発明による通信装置は、人体に着用可能な通信装置において、ＲＦ（Ｒａｄｉｏ  Ｆｒｅｑｕｅｎｃｙ）信号を送受信するアンテナパターンと、前記通信装置を制御するメインボードと、前記メインボードに電源を供給する電源供給部とを有し、前記アンテナパターンは、前記メインボード及び前記電源供給部の上部に積層された形態で具現され、前記アンテナパターンは、前記通信装置の最上部に積層され、前記通信装置が人体に着用された場合前記アンテナパターンは人体から最も遠く位置することを特徴とする。
【発明の効果】
【０００７】
本発明に係る通信装置によれば、人体に着用可能な制約条件を満足しつつも、放射効率の向上した通信装置が実現できるという効果がある。
【図面の簡単な説明】
【０００８】
【図１】本発明の実施形態による通信装置の一例を示す図である。
【図２】図１に示した通信装置の他の例を示す概略断面図である。
【図３】図１に示した通信装置のさらに他の例を示す概略断面図である。
【図４】図１に示した通信装置のさらに他の例を示す概略断面図である。
【図５】図１に示した通信装置のさらに他の例を示す概略断面図である。
【図６】本発明の実施形態によるアンテナパターンの多様な例を示す平面図である。
【図７】本発明の実施形態によるアンテナパターンの他の例を示す平面図である。
【図８】本発明の実施形態による接続手段の接続形態の一例を示す図である。
【図９】図１に示したアンテナパターンに含まれるフィーダーの構造の一例を示す平面図である。
【図１０】本発明の実施形態による通信装置の積層された構造の一例を示す図である。
【発明を実施するための形態】
【０００９】
次に、本発明に係る通信装置を実施するための形態の具体例を図面を参照しながら説明する。
【００１０】
図１は、本発明の実施形態による通信装置１００の一例を示す図である。
図１を参照すると、通信装置１００は、アンテナパターン１１０、メインボード１２０、及び電源供給部１３０で構成される。
【００１１】
図１に示す通信装置１００には、本実施形態に関連した構成要素のみを示す。
したがって、当業者ならば、図１に示す構成要素以外に、他の汎用的な構成要素をさらに含む可能性があるということが分かるであろう。
【００１２】
本実施形態による通信装置１００は、着用可能なアンテナとなるが、これに限定されず、移植型（ｉｍｐｌａｎｔ）アンテナともなる。この時、着用可能なアンテナは、人体の皮膚表面に付着されるが、これに限定されない。
例えば、本実施形態による通信装置１００が人体に着用可能なアンテナである場合、通信装置１００は、体内にある移植型アンテナ又は人体外部の装置の少なくともいずれか一つと通信することができる。
【００１３】
以下では、説明の便宜上、通信装置１００は、着用可能なアンテナが人体外部の装置と通信する場合を例として説明するが、これに限定されない。
アンテナパターン１１０は、ＲＦ（Ｒａｄｉｏ  Ｆｒｅｑｕｅｎｃｙ）信号を送受信する。
例えば、アンテナパターン１１０は、ＲＦ信号を通信対象である装置と送受信する。
本実施形態によるアンテナパターン１１０は、接地面（図示せず）と接続された状態でＲＦ信号が共振することにより、スタンディングビームが形成される。
【００１４】
この時、本実施形態によるアンテナパターン１１０は、ＷＢＡＮ（Ｗｉｒｅｌｅｓｓ  Ｂｏｄｙ  Ａｒｅａ  Ｎｅｔｗｏｒｋ）技術によって信号を送受信するが、これに限定されない。
さらに詳細に説明すると、アンテナパターン１００は、使用環境によってＭｅｄｉｃａｌ  ＷＢＡＮ技術又はＮｏｎ−Ｍｅｄｉｃａｌ  ＷＢＡＮ技術を利用して信号を送受信する。
また、アンテナパターン１１０は、２．４ＧＨｚ帯域でＷＢＡＮ技術による信号を送受信するが、これに限定されない。
【００１５】
本実施形態によるアンテナパターン１１０は、導電体で構成され、アンテナパターン１１０を中心として上下に絶縁体が付着される形態でアンテナ層が構成される。
例えば、導電体は、銅（ｃｏｏｐｅｒ）、金（ｇｏｌｄ）を含むが、これらに限定されず、電流を通過させる特性を有する金属を含むこともある。
これにより、アンテナ層は、アンテナパターン１１０、アンテナパターン１１０に絶縁体を付着するために接着力を有する接着層及び絶縁特性及び柔軟性を有するポリイミド層（Ｐｏｌｙｉｍｉｄｅ  Ｌａｙｅｒ）を含む。
【００１６】
本実施形態によるアンテナパターン１１０は、単方向放射パターン構造を有する。
例えば、アンテナパターン１１０は、マイクロストリップパッチアンテナ又はモノポールアンテナのように接地面が存在し、接地面の存在によって、アンテナパターン１１０は、単方向放射を行える。
単方向放射を行うことによって、人体方向への放射電力が減少し、通信装置１００の放射効率が向上する。
このようなアンテナパターン１１０は、多様な形態で具現され、これについて、以下、図６、７で詳細に説明する。
【００１７】
メインボード１２０は、通信装置１００を制御する。
例えば、メインボード１２０は、アナログチップ（Ａｎａｌｏｇ  Ｃｈｉｐ）及びＲＦチップ（Ｒａｄｉｏ  Ｆｒｅｑｕｅｎｃｙ  Ｃｈｉｐ）がプリント回路基板（ＰＣＢ：Ｐｒｉｎｔｅｄ  Ｃｉｒｃｕｉｔ  Ｂｏａｒｄ）に付着又は搭載（ｍｏｕｎｔ）されるか、挿入又は組み込まれた（ｅｍｂｅｄｄｅｄ）された形態で具現されるが、これに限定されず、他の機能を行うチップをさらに含むこともある。また、本実施形態によるプリント回路基板は、可撓性プリント回路基板（Ｆｌｅｘｉｂｌｅ  ＰＣＢ）となる。
【００１８】
電源供給部１３０は、メインボード１２０に電源を供給する。
例えば、電源供給部１３０は、バッテリー（Ｂａｔｔｅｒｙ）となり、この時、バッテリーは、フレキシブルバッテリー（Ｆｌｅｘｉｂｌｅ  Ｂａｔｔｅｒｙ）となることもある。
【００１９】
本実施形態によるアンテナパターン１１０は、メインボード１２０及び電源供給部１３０の上部に積層された形態で形成される。
これにより、アンテナパターン１１０は、通信装置１００が人体に着用された場合、人体から最も遠く離れて位置するので、人体との離隔距離が大きくなるにつれて、通信装置１００は、高い放射効率を有することができる。
このような構造について、以下、図２〜図５でさらに詳細に説明する。
【００２０】
また、本実施形態による通信装置１００は、アンテナパターン１１０、メインボード１２０、及び電源供給部１３０が積層された形態で形成され、アンテナパターン１１０が通信装置１００の最上部に積層される。
このような場合、通信装置１００は、アンテナパターン１１０がメインボード１２０及び電源供給部１３０の上部に積層された形態、又は、アンテナパターン１１０、電源供給部１３０及びメインボード１２０が順次に積層された形態で形成される。アンテナパターン１１０、電源供給部１３０、及びメインボード１２０が順次に積層された形態について、以下、図２及び図３で詳細に説明し、アンテナパターン１１０がメインボード１２０及び電源供給部１３０の上部に積層された形態について、以下、図４及び図５で詳細に説明する。
【００２１】
これにより、アンテナパターン１１０が通信装置１００の最上部に位置することによって、アンテナパターン１１０の放射パターンが人体に吸収される現象を減少させ、通信装置１００が高い放射効率を有し、また、電源供給部１３０が積層構造に形成されて、電源供給部１３０の容量を増加させることができる。
このような構造について、以下、図２及び図３でさらに詳細に説明する。
【００２２】
このように、本実施形態によるアンテナパターン１１０が通信装置１００の最上部に位置する積層構造に形成されることにより、通信装置１００は、放射効率を向上させ、また、電源供給部１３０の容量が増加する。
【００２３】
以下、図２及び図３並びに図４及び図５で、図１に示した通信装置１００の多様な実施形態について説明する。
図２及び図３並びに図４及び図５に示す通信装置１００には、本実施形態に関連した構成要素のみを示す。したがって、当業者ならば、図２及び図３並びに図４及び図５に示す構成要素以外に、他の汎用的な構成要素がさらに含む可能性があるということが分かる。
また、図２及び図３並びに図４及び図５に示す通信装置１００は、図１に示した通信装置１００の実施形態に当たるので、図１に記載の内容は、図２及び図３並びに図４及び図５に示す通信装置１００にも適用可能であるので、重複説明は省略する。
【００２４】
図２は、図１に示した通信装置１００の他の例を示す概略断面図である。
図２を参照すると、通信装置１００は、アンテナパターン１１０、アンテナ層１１２、媒質１１４、メインボード１２０、少なくとも一つ以上の接続手段（１２９１〜１２９４）、電源供給部１３０、電極インターフェース１４０、及び電極１４５で構成される。
【００２５】
メインボード１２０は、可撓性プリント回路基板（以下、ＦＰＣＢ）１２２、ＲＦ制御部１２４、電源制御部１２５、ロジック制御部１２６、及び接地面１２８で構成される。
但し、図２では、説明の便宜上、接地面１２８がメインボード１２０に含まれるように示したが、これに限定されず、接地面１２８は、メインボード１２０に含まれず、電源供給部１３０の上部カバーに形成されることもある。
【００２６】
通信装置１００が人体に着用された場合を例として説明すれば、電極１４５が人体に最も近く位置し、アンテナ層１１２又はアンテナ層１１２に含まれたアンテナパターン１１０が人体から最も遠く位置する。
【００２７】
また、本実施形態による通信装置１００が着用型Ｍｅｄｉｃａｌ  ＷＢＡＮ技術を使用する場合を例として説明すれば、通信装置１００は、約１．５ｍｍ以下の厚さを有する。
これにより、アンテナ層１１２は、約０．１５ｍｍ以下の厚さを有し、媒質１１４は、約０．６５ｍｍの厚さを有し、ＦＰＣＢ１２２は、約０．１５ｍｍの厚さを有するが、これに限定されない。
【００２８】
アンテナパターン１１０は、信号を送受信する。
この時、アンテナパターン１１０は、アンテナ層１１２に含まれる。
また、本実施形態によるアンテナ層１１２には、少なくとも一つ以上のインターコネクトビア（Ｉｎｔｅｒｃｏｎｎｅｃｔ  Ｖｉａ）（図示せず）が設けられる。少なくとも一つ以上のインターコネクトビアは、アンテナパターン１１０の周辺に設けられ、これにより、アンテナパターン１１０から送受信される信号から回折による人体方向へのバックローブ（ｂａｃｋ−ｌｏｂｅ）が生成されることを防止する。
これにより、通信装置１００の放射効率が向上する。アンテナ層１１２に設けられる少なくとも一つ以上のインターコネクトビアについては、後述の図１０でさらに詳細に説明する。
【００２９】
媒質１１４は、アンテナパターン１１０の下部の空間を表す。
この時、媒質１１４は、サブストレートの媒質１１４となる。
さらに詳細に説明すれば、媒質１１４は、アンテナパターン１１０を含むアンテナ層１１２の下部の空間を表す。この時、アンテナパターン１１０の下部の空間は、通信装置１００内でアンテナ層１１２及びメインボード１２０によって定義される空間であるが、これに限定されず、通信装置１００の各ユニット又は装置の配列形態によって、アンテナ層１１２又はアンテナパターン１１０の下部に存在する空間を全部含むことができる。
【００３０】
また、アンテナ層１１２の下部と、メインボード１２０の上部との間の空間にアンテナ層１１２を支持し、通信装置１００が平坦な構造を有するように、外郭の高さを均一に合わせる中間接続層（Ｍｉｄｄｌｅ  Ｉｎｔｅｒｃｏｎｎｅｃｔ  Ｌａｙｅｒ）（図示せず）をさらに含む。これについては、後述の図１０でさらに詳細に説明する。
【００３１】
本実施形態による媒質１１４は、誘電率（絶縁定数：Ｄｉｅｌｅｃｔｒｉｃ  Ｃｏｎｓｔａｎｔ）及び損失タンジェント（Ｌｏｓｓ  Ｔａｎｇｅｎｔ；又はタンジェント・デルタ）をいずれも考慮して選択された物質で形成される。
さらに詳細に説明すれば、本実施形態による媒質１１４は、低い損失タンジェントを有する物質で満たされる。
【００３２】
通信装置１００が人体着用型通信装置１００である場合、高誘電率及び有限な導電性を有する人体の電気的な特性によって、通信装置１００の放射効率の性能が劣化する。
それにより、アンテナパターン１１０の下部の空間である媒質１１４は、アンテナパターン１１０から放射される信号の共振周波数に対する放射効率を向上させるための損失タンジェントを有する物質で満たされる。
【００３３】
したがって、本実施形態による通信装置１００は、人体着用型センサープラットホームのサイズに当たる約７０×２５×１．５ｍｍ３以下のサイズを有しつつ、放射効率を向上させるために、媒質１１４に低い損失タンジェントを有する物質を満たす。
例えば、媒質１１４に損失タンジェントの低い物質が満たされる場合、媒質１１４を通過する信号に対して、媒質１１４で吸収されるエネルギーが減少する。
【００３４】
すなわち、媒質１１４に損失タンジェントの低い物質が満たされる場合、通信装置１００の放射効率が向上する。
それにより、通信装置１００は、サブストレートの媒質１１４に適切な誘電率を有し、低い損失タンジェントを有する物質が満たされるように形成され、これにより、通信装置１００の放射効率を向上させる。
通信装置１００のサブストレートの媒質１１４に満たされる物質に対する誘電率及び損失タンジェントは、以下の表１のように示す。
【００３５】
【表１】
2018046567.tif 000003
【００３６】
表１に示すように、カプトン（登録商標）ポリイミド（Ｋａｐｔｏｎ（登録商標）  Ｐｏｌｙｉｍｉｄｅ）は、ＰＤＭＳ（ＰｏｌｙＤｉｍｅｔｈｙｌＳｉｌｏｘａｎｅ）と類似した誘電定数を有しつつ、ＰＤＭＳより低い損失タンジェントを有する。
また、基板材料であるＲｏｇｅｒｓ  ＲＴ５８８０、Ｒｏｇｅｒｓ  ＲＴ６０１０は、ＰＤＭＳに比べて顕著に低い損失タンジェントを有し、ＦＲ−４は、ＰＤＭＳと類似した損失タンジェントを有する。
それにより、例えば、本実施形態による適切な誘電率を有し、低い損失タンジェントを有する物質は、空気（エア）、カプトン（登録商標）ポリイミド、Ｒｏｇｅｒｓ  ＲＴ５８８０、Ｒｏｇｅｒｓ  ＲＴ６０１０及びＦＲ−４の内のいずれか一つとなるが、これに限定されない。
【００３７】
また、他の例として、本実施形態による適切な誘電率を有し、低い損失タンジェントを有する物質は、テフロン（登録商標）（Ｔｅｆｌｏｎ：登録商標）、ポリエチレン（ＰｏｌｙＥｔｈｙｌｅｎｅ）、ポリオレフィン（Ｐｏｌｙｏｌｅｆｉｎ）、ポリスチレン（Ｐｏｌｙｓｔｙｒｅｎｅ）、ポリビニルホルマール（Ｐｏｌｙｖｉｎｙｌ  ｆｏｒｍａｌ）、ナイロン（Ｎｙｌｏｎ）、クォーツ（Ｑｕａｒｔｚ）、パイレックス（登録商標）ガラス（Ｐｙｒｅｘ（登録商標）  Ｇｌａｓｓ）、ウォーター（Ｗａｔｅｒ）をさらに含むが、これに限定されない。
表２は、このように、物質のそれぞれに対する損失タンジェント（ａｔ  ３ＧＨｚ）を表す。
【００３８】
【表２】
2018046567.tif 000004
【００３９】
これにより、本実施形態による通信装置１００は、薄くて柔軟な構造を有しつつ、サブストレートの媒質１１４で吸収されるエネルギーの量を減少させることによって、通信装置１００の放射効率を向上させる。
【００４０】
メインボード１２０は、通信装置１００を制御する。
例えば、メインボード１２０は、ＦＰＣＢ１２２、ＦＰＣＢ１２２に付着又は搭載されたＲＦ制御部１２４、電源制御部１２５、及びロジック制御部１２６で構成され、ＦＰＣＢ１２２は、接地面１２８をさらに含む。
すなわち、メインボード１２０は、受動的に組込（Ｐａｓｓｉｖｅ  Ｅｍｂｅｄｄｉｎｇ）まれた形態で形成される。
【００４１】
ＲＦ制御部１２４は、通信装置１００のＲＦ通信を制御する。例えば、ＲＦ制御部１２４は、ＲＦ通信を制御するＲＦチップとなるが、これに限定されない。
これにより、本実施形態によるアンテナパターン１１０は、メインボード１２０のＲＦ制御部１２４が存在しない領域の上部に積層された形態で形成される。
【００４２】
図２を参照すると、例えば、アンテナパターン１１０は、ＦＰＣＢ１２２のうちメインボード１２０のＲＦ制御部１２４が存在する領域の上部１１３１以外の領域１１３２に積層された形態で形成される。この場合、本実施形態によるＲＦ制御部１３４は、メインボード１２０の外郭に位置する。
このように、アンテナパターン１１０がＲＦ制御部１２４の存在しない領域の上部に積層された形態で形成されることによって、アンテナパターン１１０で送受信される信号がＲＦ制御部１２４の動作による信号と干渉される現象を防止する。
【００４３】
電源制御部１２５は、電源供給部１３０によって供給される電源を制御する。
例えば、電源制御部１２５は、ＰＭＩＣ（Ｐｏｗｅｒ  Ｍａｎａｇｅｎｔ  ＩＣ）となるが、これに限定されない。
ロジック制御部１２６は、通信装置１００の全般的な機能を制御する。
例えば、ロジック制御部１２６は、通信装置１００の全般的な機能を制御するＡＦＥ（Ａｎａｌｏｇ  Ｆｒｏｎｔ  Ｅｎｄ）ボード、ＤＳＰ（Ｄｉｇｉｔａｌ  Ｓｉｇｎａｌ  Ｐｒｏｃｅｓｓｉｎｇ）チップ、ＣＰＵ（Ｃｅｎｔｒａｌ  Ｐｒｏｃｅｓｓｉｎｇ  Ｕｎｉｔ）チップを含むが、これに限定されない。
【００４４】
また、本実施形態によるＦＰＣＢ１２２は、接地面１２８をさらに含む。
但し、これに限定されず、本実施形態による接地面１２８は、電源供給部１３０の上部カバーとして形成されることもある。この時、接地面１２８が電源供給部１３０の上部カバーとして形成されるというのは、電源供給部１３０の上部カバーのコーティングを接地面で形成する場合を含むが、これに限定されない。
【００４５】
例えば、接地面１２８は、ＦＰＣＢ１２２のマルチ層の内の一層又は複数層で含まれるか、又は電源供給部１３０の上部カバーとして形成される。
接地面１２８がＦＰＣＢ１２２に含まれる場合、接地面１２８は、ＦＰＣＢ１２２の下部として含まれるが、これに限定されない。
これにより、接地面１２８及び電源供給部１３０は、アンテナパターン１１０から放射される信号が人体に吸収されるエネルギーの量を減少させるためのシールディング（Ｓｈｉｅｌｄｉｎｇ）機能を行える。
【００４６】
第１〜第４接続手段（１２９１〜１２９４）は、アンテナパターン１１０とメインボード１２０とを接続するか、又は電源制御部１２５と電源供給部１３０とを接続する。
この時、第１及び第２接続手段（１２９１、１２９２）は、メインボード１２０に含まれたＦＰＣＢ１２２の信号面と接続され、第３接続手段１２９３は、メインボード１２０又は電源供給部１３０に設けられる接地面１２８と接続される。
【００４７】
本実施形態による第１〜第４接続手段（１２９１〜１２９４）は、ビアホール（ｖｉａ  ｈｏｌｅ）に鉛のような導電性物質が満たされることによるスルービア（Ｔｈｒｕ  Ｖｉａ）形態で具現されるが、これに限定されない。例えば、第４接続手段１２９４は、メタルトラック（Ｍｅｔａｌ  Ｔｒａｃｋ）形態で具現されることもある。
【００４８】
さらに詳細に説明すれば、本実施形態による通信装置１００は、アンテナパターン１１０がメインボード１２０又は電源供給部１３０の少なくともいずれか一つの上部に積層された形態で具現されるので、第１及び第２接続手段（１２９１、１２９２）は、アンテナパターン１１０とメインボード１２０とを接続するためにスルービア形態で具現され、第３接続手段１２９３は、アンテナパターン１１０と接地面１２８とを接続するためにスルービア形態で具現される。
第１及び第２接続手段（１２９１、１２９２）は、アンテナパターン１１０とメインボード１２０とを接続することによって、ＲＦ制御部１２４から出力されるＲＦ信号をアンテナパターン１１０に伝達する。
【００４９】
また、図２は、ＲＦ制御部１２４からバランスド信号（Ｂａｌａｎｃｅｄ  Ｓｉｇｎａｌ）または差分信号（Ｄｉｆｆｅｒｅｎｔｉａｌ  Ｓｉｇｎａｌ）が出力される場合によって、第１及び第２接続手段（１２９１、１２９２）が設けられる場合を例として説明しているが、これに限定されず、ＲＦ制御部１２４からアンバランスド信号が出力される場合には、第１接続手段１２９１のみが設けられることもある。以下では、説明の便宜上、第１及び第２接続手段（１２９１、１９９２）が設けられた場合を例として説明するが、これに限定されない。
【００５０】
例えば、第１及び第２接続手段（１２９１、１２９２）のそれぞれは、アンテナパターン１１０とメインボード１２０との間の空間を貫通するように形成される。
このような場合、アンテナパターン１１０とメインボード１２０との間の空間は、媒質１１４となる。
また、本実施形態による第１及び第２接続手段（１２９１、１２９２）のそれぞれは、アンテナパターン１１０とメインボード１２０との間の空間を垂直に貫通するように形成されるが、これに限定されない。
【００５１】
例えば、第１及び第２接続手段（１２９１、１２９２）は、アンテナパターン１１０に設けられるアンテナフィーダー（Ａｎｔｅｎｎａ  Ｆｅｅｄｅｒ）と接続され、スルービア形態で形成される。
これにより、第１及び第２接続手段（１２９１、１２９２）のそれぞれは、フェディングビア（Ｆｅｄｄｉｎｇ  Ｖｉａ）となる。
このように、第１及び第２接続手段（１２９１、１２９２）のそれぞれがスルービア形態で形成されるので、フィーダーの損失を最小化し、また、放射効率を改善させ、通信装置１００の設計空間を最小化することができる。
【００５２】
付加的に、媒質１１４が空気で具現される場合、第１及び第２接続手段（１２９１、１２９２）は、アンテナパターン１１０及びアンテナ層１１２を支持する。
それにより、アンテナ層１１２とメインボード１２０との間の空間が空いている場合にも、アンテナ層１１２及びメインボード１２０が第１及び第２接続手段（１２９１、１２９２）によって支持される。
【００５３】
また、これに限定されず、本実施形態による通信装置１００は、アンテナパターン１１０と接地面１２８とを接続する少なくとも一つ以上の第３接続手段１２９３をさらに含む。
例えば、第３接続手段１２９３は、短絡ピン（Ｓｈｏｒｔｉｎｇ  Ｐｉｎ）となるが、これに限定されない。
この時、第３接続手段１２９３は、第１及び第２接続手段（１２９１、１２９２）のようにスルービア形態で形成される。
このように、第３接続手段１２９３は、アンテナパターン１１０とメインボード１２０との間の空間を垂直に貫通するように形成されるが、これに限定されない。
本実施形態による通信装置１００に、第３接続手段１２９３が設けられるので、通信装置１００は、アンテナパターン１１０が逆の（ｉｎｖｅｒｔｅｄ）構造の使用による小型化を保証することができる。
【００５４】
第４接続手段１２９４は、電源制御部１２５と電源供給部１３０を接続する。
例えば、第４接続手段１２９４は、パワービアとなるが、これに限定されない。
第１〜第３接続手段（１２９１〜１２９３）については、後述の図６〜図９でさらに詳細に説明する。
【００５５】
電源供給部１３０は、メインボード１２０に電源を供給する。上記のように、本実施形態による電源供給部１３０の上部カバーは、接地面１２８の形態で具現されるが、これに限定されない。
例えば、接地面１２８が電源供給部１３０の上部カバーにコーティングされて、電源供給部１３０の上部カバーが接地面１２８の形態で具現されるが、これに限定されない。
このように、電源供給部１３０の上部カバーが接地面１２８の形態で具現されて、通信装置１００の厚さがさらに薄くなる。
【００５６】
電極インターフェース１４０は、電極１４５とメインボード１２０との間をインターフェースする。また、本実施形態による電極インターフェース１４０は、通信装置１００の下部カバーの機能を行うこともあるが、これに限定されない。
電極１４５は、人体から信号を検出する。
本実施形態による電極１４５は、人体の皮膚表面に付着した状態で生体信号を検出する。電極１４５から検出された生体信号は、ロジック制御部１２６によって処理される。
これにより、通信装置１００は、超薄／小型であり、かつ向上した放射効率を有する。
【００５７】
図３は、図１に示した通信装置１００のさらに他の例を示す概略断面図である。
図３に示す通信装置１００は、メインボード１２０が能動的に組込まれた（Ａｃｔｉｖｅ  Ｅｍｂｅｄｄｉｎｇ）場合を除いては、図２に示した通信装置１００と同じであるので、重複説明は省略する。
【００５８】
図３を参照すると、メインボード１２０は、ＦＰＣＢ１２２、ＦＰＣＢ１２２に挿入又は組込みまれたＲＦ制御部１２４、電源制御部１２５及びロジック制御部１２６で構成され、ＦＰＣＢ１２２は、接地面１２８をさらに含む。すなわち、メインボード１２０は、チップ組込み（Ｃｈｉｐ  Ｅｍｂｅｄｄｉｎｇ）技術のうち、能動的な組込み技術によって形成される。
これにより、本実施形態による通信装置１００は、ＲＦ制御部１２４、電源制御部１２５、及びロジック制御部１２６のそれぞれを接続するためのコネクタ１２３をさらに含む。例えば、コネクタ１２３は、導電体で構成されたメタルトラックとなるが、これに限定されない。
【００５９】
能動的な組込みについて、さらに詳細に説明すれば、ＦＰＣＢ１２２にＲＦ制御部１２４、電源制御部１２５、及びロジック制御部１２６が組み込まれた形態で形成される。
これにより、本実施形態によるＦＰＣＢ１２２は、ＲＦ制御部１２４、電源制御部１２５、及びロジック制御部１２６を搭載している組み込まれたＦＰＣＢとなる。
このように、図３に示した通信装置１００によれば、ＲＦ制御部１２４、電源制御部１２５、及びロジック制御部１２６がＦＰＣＢ１２２に挿入又は組み込まれることによって、通信装置１００の厚さを顕著に減少させる。
【００６０】
図４は、図１に示した通信装置１００のさらに他の例を示す概略断面図である。
図４は、図１に示した通信装置１００の概略断面図に当たる。また、図４に示す通信装置１００は、図２に示した通信装置１００と同じ機能を行うユニット又は装置が、図２に示した通信装置１００と異なる形態で配列されたケースに当たる。これにより、図２の通信装置１００に関連した説明は、図４の通信装置１００にも適用可能であるので、重複説明は省略する。
【００６１】
図４を参照すれば、アンテナパターン１１０は、メインボード１２０及び電源供給部１３０の上部に積層された形態で形成される。この場合、通信装置１００の厚さが薄くなり、また、アンテナパターン１１０の下部の空間である媒質１１４に損失タンジェントが考慮された物質で満たされるように形成されて、向上した放射効率を有する。
【００６２】
図５は、図１に示した通信装置１００のさらに他の例を示す概略断面図である。
図５は、図１に示した通信装置１００の概略断面図に当たる。
また、図５に示す通信装置１００は、図３に示した通信装置１００と同じ機能を行うユニット又は装置が、図３に示した通信装置１００と異なる形態で配列されたケースに当たる。
これにより、図３の通信装置１００に関連した説明は、図５の通信装置１００にも適用可能であるので、重複説明は省略する。
また、図５に示す通信装置１００は、メインボード１２０が能動的に組み込まれた場合を除いては、図４に示した通信装置１００と同じであるので、重複説明は省略する。
【００６３】
図５を参照すると、メインボード１２０は、ＦＰＣＢ１２２、ＦＰＣＢ１２２に挿入又は組み込まれたＲＦ制御部１２４、電源制御部１２５及びロジック制御部１２６で構成され、ＦＰＣＢ１２２は、接地面１２８をさらに含む。すなわち、メインボード１２０は、能動的に組み込まれた形態で具現される。
【００６４】
これにより、本実施形態による通信装置１００は、ＲＦ制御部１２４、電源制御部１２５及びロジック制御部１２６のそれぞれを接続するためのコネクタ１２３をさらに含む。
例えば、コネクタ１２３は、導電体で構成されたメタルトラックとなるが、これに限定されない。
このように、図５に示す通信装置１００によれば、ＲＦ制御部１２４、電源制御部１２５、及びロジック制御部１２６が、ＦＰＣＢ１２２に挿入又は組み込まれることによって、通信装置１００の厚さを顕著に減少させる。
【００６５】
図６は、本発明の実施形態によるアンテナパターン１１０の多様な例を示す平面図である。
図６を参照すると、第１アンテナ層４１に含まれた第１アンテナパターン４１１、第２アンテナ層４２に含まれた第２アンテナパターン４２１、第３アンテナ層４３に含まれた第３アンテナパターン４３１、及び第４アンテナ層４４に含まれた第４アンテナパターン４４１をそれぞれ示す。
【００６６】
第１〜第４アンテナパターン（４１１〜４４１）は、ＰＩＦＡ（Ｐｌａｎａｒ  Ｉｎｖｅｒｔｅｄ  Ｆ  Ａｎｔｅｎｎａ）となる。
但し、本実施形態によるアンテナパターン１１０は、これに限定されず、ＳＰＡ（Ｓｌｏｔｔｅｄ  Ｐａｔｃｈ  Ａｎｔｅｎｎａ）形態で具現されることもある。
ＳＰＡについては、後述の図７で詳細に説明する。
【００６７】
また、第１〜第４アンテナパターン（４１１〜４４１）のそれぞれは、接続手段を接続するフィーダー（ｆｅｅｄｅｒ）（４１２〜４１４、４２２〜４２４、４３２〜４３４、４４２〜４４４）を備える。この時、フィーダー（４１４、４２４、４３４及び４４４）は、接続手段の一例である短絡ピンとして用いられる。
これに関連する、第１アンテナパターン４１１〜第４アンテナパターン４２４の接続手段を接続するフィーダー（４１２〜４１４、４２２〜４２４、４３２〜４３４、４４２〜４４４）の接続形態については、後述の図８、図９でさらに詳細に説明する。
【００６８】
また、第１アンテナパターン４１１〜第４アンテナパターン４４１が、メインボード１２０のＲＦ制御部１２４が存在しない領域の上部に積層された形態で具現させるために、第１アンテナパターン４１１〜第４アンテナパターン４４１のそれぞれは、第１アンテナ層４１〜第４アンテナ層４４のそれぞれの適切な位置に含まれる。
図６に示すように、接続手段を接続するフィーダー（４１２〜４１４、４２２〜４２４、４３２〜４３４、４４２〜４４４）は、メインボード１２０の中間領域と接続させるための位置に設けられる。
このように、短絡ピンを接続するためのフィーダー（４１４、４２４、４３４及び４４４）が接地面１２８と接続されて、第１アンテナ層４１〜第４アンテナ層４４のそれぞれの長さが延長するような効果を有する。
【００６９】
図７は、本発明の実施形態によるアンテナパターン１１０の他の例を示す平面図である。
例えば、図７に示すアンテナパターン４５１は、ＳＰＡ形態で具現された場合を表す。例えば、アンテナパターン４５１は、ｘ軸方向に約３６．５ｍｍ（符号４５８の幅）のサイズを有し、ｙ軸方向に約２０ｍｍ（符号４５９の幅）のサイズを有するが、これに限定されない。
【００７０】
図７に示す符号４５の平面図を参照すると、アンテナパターン４５１は、外郭ループ４５２及びメインパッチ４５３を含み、また、メインパッチ４５３には、少なくとも一つ以上のスロット（４５４〜４５７）が形成されている。
この時、メインパッチ４５３は、四角形状に具現され、少なくとも一つ以上のスロット（４５４〜４５７）は、メインパッチ４５３を打ち抜いた溝形態で形成される。
【００７１】
アンテナパターン４５１は、外郭ループ４５２を通じてメインボード１２０からＲＦ信号を取得する。この時、外郭ループ４５２は、図２及び図３並びに図４及び図５の第１及び第２接続手段（１２９１、１２９２）を通じて、メインボード１２０からＲＦ信号を取得することができる。
【００７２】
図７に示す符号４６の部分拡大図を参照すると、外郭ループ４５２は、第１及び第２接続手段（１２９１、１２９２）が接続されており、第１及び第２接続手段（１２９１、１２９２）を通じてメインボード１２０のＲＦ制御部１２４からＲＦ信号を取得することができる。
また、図７に示していないが、本実施形態による外郭ループ４５２には、第１及び第２接続手段（１２９１、１２９２）を接続するためのフィーダー（図示せず）が付着されている。
【００７３】
また、アンテナパターン４５１がＳＰＡ形態で具現される場合、第３接続手段１２９３は、設けられないこともある。
さらに詳細に説明すれば、アンテナパターン４５１がＳＰＡ形態で具現される場合、接地面１２８との接続のための短絡ピンは、存在しないこともあるが、これに限定されず、使用環境によって異なる形態で具現されることもある。
【００７４】
このように、メインボード１２０から取得したＲＦ信号は、外郭ループ４５２とメインパッチ４５３との間の空間４５１５で発生する電磁界カップリング現象を利用して、外郭ループ４５２からメインパッチ４５３に伝えられる。
このような場合、アンテナパターン４５１は、外郭ループ４５２とメインパッチ４５３との間の空間４５１５のサイズを調整して、アンテナパターン４５１の放射されるＲＦ信号の波長又は共振周波数の少なくともいずれか一つを調節することができる。
【００７５】
例えば、外郭ループ４５２とメインパッチ４５３との間の空間４５１５のサイズが大きくなれば、電磁界カップリング現象が相対的に弱くなり、アンテナパターン４５１から放射されるＲＦ信号の波長が長くなり、共振周波数が低くなる。
他の例として、外郭ループ４５２とメインパッチ４５３との間の空間４５１５のサイズが小さくなれば、電磁界カップリング現象が相対的に強くなり、アンテナパターン４５１から放射されるＲＦ信号の波長が短くなり、共振周波数が高くなる。
【００７６】
また、アンテナパターン４５１のメインパッチ４５３には、少なくとも一つ以上のスロット（４５４〜４５７）が形成される。
この時、メインパッチ４５３に形成される少なくとも一つ以上のスロット（４５４〜４５７）は、ｙ軸座標を基にしてメインパッチ４５３の上端面から下端面に届かない長さのラインが空けられた状態に形成されるか、又は、メインパッチ４５３の下端面から上端面に届かない長さのラインが空けられた状態に形成される。
図７では、説明の便宜上、ｙ軸座標を基にして、第１スロット４５４及び第４スロット４５７は、メインパッチ４５３の上端面から下端面方向に設けられ、第２スロット４５５及び第３スロット４５６は、メインパッチ４５３の下端面から上端面方向に設けられるように示したが、これに限定されない。
【００７７】
すなわち、メインパッチ４５３は、一つ又はそれ以上のスロットを含み、この時、一つ又はそれ以上のスロットは、全部上端面から下端面方向に設けられるか、いずれも下端面から上端面方向に設けられるか、所定の規則によって上端面から下端面方向に設けられる場合と下端面から上端面方向に設けられる場合とが混合されて存在する。
【００７８】
また、アンテナパターン４５１は、メインパッチ４５３に設けられるスロットの数、メインパッチ４５３に設けられた少なくとも一つ以上のスロット（４５４〜４５７）の長さ、及びメインパッチ４５３に設けられた少なくとも一つ以上のスロット（４５４〜４５７）の幅を調整して、アンテナパターン４５１から放射されるＲＦ信号の波長又は共振周波数の少なくともいずれか一つを調節する。
【００７９】
例えば、メインパッチ４５３に含まれるスロットの数が多く、少なくとも一つ以上のスロット（４５４〜４５７）の長さが長くなるほど、アンテナパターン４５１から放射されるＲＦ信号の波長が長くなり、共振周波数が低くなる。
他の例として、メインパッチ４５３に含まれるスロットの数が少なく、少なくとも一つ以上のスロット（４５４〜４５７）の長さが短くなるほど、アンテナパターン４５１から放射されるＲＦ信号の波長が短くなり、共振周波数が高くなる。
【００８０】
このように、メインパッチ４５３に設けられた少なくとも一つ以上のスロット（４５４〜４５７）によって、メインパッチ４５３のサイズを縮小することができ、また、小さい空間で長い波長のＲＦ信号を使用可能にする。これにより、アンテナパターン４５１のサイズが小さくなる。
【００８１】
また、アンテナパターン４５１は、外郭ループ４５１の厚さを調整して、アンテナパターン４５１から放射されるＲＦ信号の波長又は共振周波数の少なくともいずれか一つを調節する。
例えば、外郭ループ４５１の厚さが厚いほど、アンテナパターン４５１から放射されるＲＦ信号の波長が長くなり、共振周波数が低くなる。
他の例として、外郭ループ４５１の厚さが薄いほど、アンテナパターン４５１から放射されるＲＦ信号の波長が短くなり、共振周波数が高くなる。
【００８２】
このように、本実施形態によるアンテナパターン４５１は、外郭ループ４５２、メインパッチ４５３に設けられた少なくとも一つ以上のスロット（４５４〜４５７）によってサイズが小さくなり、また、外郭ループ４５２、メインパッチ４５３、少なくとも一つ以上のスロット（４５４〜４５７）を用いて、共振周波数及び放射されるＲＦ信号の波長を調節する。メインパッチ４５３に設けられたスロットの数によって、各スロットによる共振周波数の数がいくつか増える。
これにより、アンテナパターン４５１の動作帯域幅を拡大することができる。
【００８３】
図８は、本実施形態による接続手段の接続形態の一例を示す図である。
アンテナパターン１１０に接続された第１〜第３接続手段（５３〜５５）の接続形態を示す符号５１の斜視図を参照すると、アンテナ層１１２に含まれたアンテナパターン１１０に第１〜第３接続手段（５３〜５５）が接続されている。この時、第３接続手段５５は、短絡ピンとなる。
【００８４】
アンテナパターン１１０に接続された第１〜第３接続手段（５３〜５５）を示す符号５２の断面図を参照すると、第１及び第２接続手段（５３、５４）は、メインボード１２０のＦＰＣＢ１２２に接続され、第３接続手段５５は、接地面１２８まで接続される。
【００８５】
第３接続手段５５についてさらに詳細に説明すると、アンテナパターン１１０には、第３接続手段５５を形成するためのビアホールが形成され、アンテナパターン１１０に形成されたビアホールに、鉛のような導電性物質を満たすことによって、第３接続手段５５の一例である短絡ピンを形成することができる。これにより、本実施形態による短絡ピンは、スルービア形態でアンテナパターン１１０とメインボード１２０との間の空間を貫通するように形成されるが、これに限定されない。
【００８６】
また、本実施形態による第１〜第３接続手段（５３〜５５）は、アンテナパターン１１０にランドされたフィーダーを利用して、アンテナパターン１１０と信号を送受信する。
アンテナパターン１１０にランド（ｌａｎｄ）されたフィーダーについては、以下の図９で詳細に説明する。
【００８７】
図９は、図１に示したアンテナパターン１１０に含まれるフィーダーの構造（符号６１）の一例を示す平面図である。
この時、図９に示す第１〜第３フィーダー（６５〜６７）のそれぞれは、アンテナパターン１１０にランドされる。
第１及び第２フィーダー（６５、６６）は、図８に示した第１及び第２接続手段（５３、５４）を接続し、第３フィーダー６７は、図８に示した第３接続手段５５を接続する。
【００８８】
図９に示すフィーダーの構造（符号６１）を参照すると、第１及び第２フィーダー（６５、６６）のサイズは、１．５ｍｍ×１．５ｍｍ（符号６３の幅）となる。また、第１及び第２フィーダー（６５、６６）のそれぞれに含まれるホールの直径は、約１ｍｍ、ホール間の間隔は、約２．１ｍｍ（符号６４の間隔）となる。これにより、第１及び第２フィーダー（６５、６６）の全体に対するサイズは、約３．６ｍｍ（符号６２の寸法）となる。
また、第３フィーダー６７は、第１フィーダー６５又は第２フィーダー６６と同一又は類似した形態で具現され、アンテナパターン１１０にランドされる。
【００８９】
図１０は、本実施形態による通信装置１００が積層された構造の一例を示す図である。
図１０を参照すると、通信装置１００は、アンテナ層７１、中間接続層７２、メインボード層７３、電源供給層７４、電極インターフェース層７５、及び電極層７６を含む。
【００９０】
図１０に示す積層構造によるアンテナ層７１、メインボード層７３、電源供給層７４、電極インターフェース層７５、及び電極層７６のそれぞれは、図１〜図５に示したアンテナ層１１２、メインボード１２０、電源供給部１３０、電極インターフェース１４０、及び電極１４５に対応可能であるので、重複説明は省略する。
【００９１】
図１０を参照すると、通信装置１００の最上部には、アンテナ層７１が配置される。
この時、アンテナ層７１の厚さは、約１００μｍとなる。
通信装置１００のアンテナ層７１の下方には、中間接続層７２が配置される。
この時、中間接続層７２の厚さは、約１００μｍとなる。
さらに詳細に説明すれば、中間接続層７２は、アンテナ層７１の下部面とメインボード層７３の上部面との間に配置される。
【００９２】
中間接続層７２は、図２及び図３並びに図４及び図５に示した媒質１１４が空気で満たされる場合、空気層を形成するために存在する。
これにより、中間接続層７２によってアンテナ層７１が物理的に支持され、媒質１１４に空気層が形成され、メインボード１２０に存在するＲＦ制御部１２４、電源制御部１２５、及びロジック制御部１２６の不均一な高さによって、上部カバーが曲率半径を有する現象を防止する。
【００９３】
本実施形態による中間接続層７２は、使用環境によって少なくとも一つ以上設けられることもあり、また、中間接続層７２は、通信装置１００に設けられないこともある。
この場合、アンテナ層７１の支持は、図２及び図３並びに図４及び図５に示した第１〜第３接続手段（１２９１〜１２９３）、又はインターコネクトビアホール（７３４〜７３７）によって具現される。
インターコネクトビアホール（７３４〜７３７）について、以下、図１０でさらに詳細に説明する。
【００９４】
通信装置１００の中間接続層７２の下方には、メインボード層７３が配置される。
この時、メインボード層７３の厚さは、実装された部品の高さを含んで、約１２５０μｍとなる。
メインボード層７３は、図２及び図３並びに図４及び図５に示した電源を制御するための領域７３１、通信装置１００の全般的な機能を制御するための領域７３２、及びＲＦ通信を制御するための領域７３３で構成される。
通信装置１００のメインボード層７３の下方には、電源供給層７４が配置される。
この時、電源供給層７４は、フレキシブルバッテリーとして具現され得る。
電源供給層７４の厚さは、約５００μｍとなってよい。
【００９５】
通信装置１００の電源供給層７４の下方には、電極インターフェース層７５が配置され、電極インターフェース層７５の下方には、電極層７６が配置される。
この時、電極インターフェース層７５は、通信装置１００の下部カバーとして具現されることもある。
この場合、電極インターフェース層７５の厚さは、約１５０μｍとなってもよく、電極層７６の厚さは、約３００μｍとなってもよい。
【００９６】
また、図１０を参照すると、アンテナ層７１、中間接続層７２、メインボード層７３、電極インターフェース層７５のそれぞれには、少なくとも一つ以上のインターコネクトビアホール（７３４〜７３７）が設けられる。
さらに詳細に説明すれば、アンテナ層７１の外郭を取り囲む形態で、少なくとも一つ以上のインターコネクトビアホール７３４が設けられ、このような形態で、中間接続層７２、メインボード層７３、電極インターフェース層７５のそれぞれにも、少なくとも一つ以上のインターコネクトビアホール（７３５〜７３７）が設けられる。
【００９７】
これにより、アンテナ層７１及びメインボード層７３は、アンテナ層７１に設けられたインターコネクトビアホール７３４、及びメインボード層７３に設けられたインターコネクトビアホール７３６を通じて接続される。
さらに詳細に説明すれば、アンテナ層７１に形成された少なくとも一つ以上のインターコネクトビアホール７３４は、中間接続層７２に形成された少なくとも一つ以上のインターコネクトビアホール７３５、メインボード層７３に形成された少なくとも一つ以上のインターコネクトビアホール７３６、及び電極インターフェース層７５に形成された少なくとも一つ以上のインターコネクトビアホール７３７のそれぞれに相互接続される。
【００９８】
但し、使用環境によって、少なくとも一つ以上のインターコネクトビアホールは、電源供給層７４及び電極層７６にも形成され、これにより、電源供給層７４及び電極層７６も、アンテナ層７１と接続されるが、これに限定されない。
これにより、複数層のそれぞれに設けられた少なくとも一つ以上のインターコネクトビアホール（７３４〜７３７）に、鉛のような導電性物質が満たされることによって、通信装置１００の外郭が物理的に結合される。但し、複数層のそれぞれに設けられた少なくとも一つ以上のインターコネクトビアホール（７３４〜７３７）を接続することにおいて、スルービア形態で具現可能な位置にインターコネクトビアホール（７３４〜７３７）が相互接続される。
【００９９】
また、少なくとも一つ以上のインターコネクトビアホール（７３４〜７３７）は、通信装置１００の機能による信号を伝達する電気的な経路の機能をさらに行うこともある。
加えて、少なくとも一つ以上のインターコネクトビアホール（７３４〜７３７）は、アンテナパターン１１０で形成されるビームが、全体システムの面積制限によって、回折による人体方向へのバックローブ（ｂａｃｋ−ｌｏｂｅ）が生成されることを防止する。
これにより、通信装置１００の放射効率が向上する。
これにより、本実施形態による人体着用型通信装置１００は、サイズ及び厚さを減少させ、柔軟性を保証しつつ、放射効率が向上する。
【０１００】
尚、本発明は、上述の実施形態に限られるものではない。本発明の技術的範囲から逸脱しない範囲内で多様に変更実施することが可能である。
【産業上の利用可能性】
【０１０１】
本発明は、医療情報を収集するような人体の外部に付着／着用する通信装置に好適に使用される。
【符号の説明】
【０１０２】
４１〜４４    （第１〜第４）アンテナ層
５３〜５５    （第１〜第３）接続手段
７１    アンテナ層
７２    中間接続層
７３    メインボード層
７４    電源供給層
７５    電極インターフェース層
７６    電極層
１００    通信装置
１１０    アンテナパターン
１１２    アンテナ層
１１４    媒質
１２０    メインボード
１２２    可撓性プリント回路基板（ＦＰＣＢ）
１２４    ＲＦ制御部
１２５    電源制御部
１２６    ロジック制御部
１２８    接地面
１３０    電源供給部
１４０    電極インターフェース
１４５    電極
４１１〜４４１    （第１〜第４）アンテナパターン
４１２〜４１４、４２２〜４２４、４３２〜４３４、４４２〜４４４    フィーダー
４５１    アンテナパターン
４５２    外郭ループ
４５３    メインパッチ
４５４〜４５７    スロット
１２９１〜１２９４    （第１〜第４）接続手段
【図１】
2018046567.tif 000005
【図２】
2018046567.tif 000006
【図３】
2018046567.tif 000007
【図４】
2018046567.tif 000008
【図５】
2018046567.tif 000009
【図６】
2018046567.tif 000010
【図７】
2018046567.tif 000011
【図８】
2018046567.tif 000012
【図９】
2018046567.tif 000013
【図１０】
2018046567.tif 000014